(57)【要約】      （修正有）【課題】素早く折畳み、組立て可能な３輪式電動スクーターを提供する。【解決手段】３輪式電動スクーターは、上部プレート１に固定された左右一対のロールチューブ１２、ロールチューブに挿通して固定されたチューブシャフト本体１１、及び上部プレートに対して回動して傾倒可能とするため、チューブシャフト本体を回動可能に挿通した接続部５２に固定されたスタンドパイプ５を備え、フレーム３後方のフォークにそれぞれ後輪を設け、前方は上部プレートと下部プレート２間でボルト３５を介して回動可能にピボット接続すると共に前端左右からスタンドパイプを把持するクリップを設けてロック可能とし、後部の座席シート部下方のピボットシートの左右延長部にリアフォークに設けた位置決め穴を備えたテーパーに嵌合するフレームセットと、該嵌合を解くクイックリリースを設けると共にフレームセット間にバッテリーユニットを配置する。【選択図】図８
0003232028.tif 000002
【実用新案登録請求の範囲】
【請求項１】
上部プレートに固定された左右一対のロールチューブ、該ロールチューブに挿通して固定されたチューブシャフト本体、及び該上部プレートに対して回動して傾倒可能とするため、該チューブシャフト本体を回動可能に挿通した接続部に固定されたスタンドパイプを備え、
左右一対のフレームを、後方をリアフォークとしてそれぞれ後輪を設け、
前方には上部プレートと下部プレート間でボルトを介して回動可能にピボット接続されると共に前端にそれぞれ左右からスタンドパイプを把持するクリップを設けてロック可能とし、
後部の座席シート部下方にケーシングを設けたピボットシートを設け、その左右延長部にリアフォークに設けた位置決め穴を備えたテーパーにそれぞれ対応して嵌合するフレームセット、該嵌合を解くクイックリリースを設けると共にフレームセット間にバッテリーユニットを配置して、
前輪を操作するハンドルは該スタンドパイプを介して回動可能に接続されることにより、前記スタンドパイプを把持するクリップのロックを解除し、後部のフレームセットの嵌合を解くことにより、ハンドルを設けたスタンドパイプを前記上部プレートに対して傾倒すると共に、前記左右一対のフレームを展開状態から閉鎖状態として、
折りたたみ可能な３輪式電動スクーター。
【請求項２】
上記一対のフレームのクリップの左右外周にフットペダルが設けられ、
スタンドパイプをハンドル付きのチューブアセンブリに回動可能に接続した
請求項１記載の折りたたみ可能な３輪式電動スクーター。
【請求項３】
後輪にモーターを備え、モーターをバッテリーユニットに電気的に接続した、請求項２記載の折りたたみ可能な３輪式電動スクーター。
【考案の詳細な説明】
【技術分野】
【０００１】
本考案は、シンプルで素早く折りたためる電動スクーター、特に、交通機関を利用した後に、素早く組み立てて安定して移動するために便利な手段をユーザーに提供でき、シンプルで素早く折りたためる３輪式電動スクーターに関する。
【背景技術】
【０００２】
従来の折りたたみ式モビリティビークルは、ユーザーの移動に役立つが、車両のハンドル、ボディ、シートはすべて、インナーチューブをアウターチューブでしっかりと覆う構造を採用ており、複雑で組み立て速度は比較的遅く、用途が限られるというジレンマを有する。
【先行技術文献】
【特許文献】
【０００３】
【特許文献１】登録実用新案第３０７０８４号
【考案の概要】
【考案が解決しようとする課題】
【０００４】
本考案者は、長期的な努力とすべての困難を克服して、開発と研究に専念し最終的に本考案を開発した。
【０００５】
本考案の目的は、シンプルで素早くに折りたためる電動スクーターを提供し、交通機関を利用した後に、すばやく組み立てて安定して移動可能な手段をユーザーに提供できる。
【課題を解決するための手段】
【０００６】
前記目的を達成するために、この考案のシンプルで素早く折りたためる３輪式電動スクーターは、2つの間隔を空けたコイル状のチューブを含む上部プレートと、回転してコイルに挿入および固定できる垂直チューブが含まれ、チューブ内のシ、ャフトチューブ本体、スタンドチューブはフック状の部分と、コイル状のチューブの間に配置され、チューブシャフト本体によって固定できる接続部分を備える。下部プレートは上部プレートの下にあり、フックで配置できるプロンプト部分が含まれ、2つのフレームは、各車の2つのボルトを介して上部プレートと下部プレートの間にピボット接続されています フレームには、開いたときにスタンドパイプをしっかりと覆うことができるクリップ、後輪と組み立てられた後部フォーク、および後部フォークの周囲に位置決め穴が設けられたテーパー部分が含まれ、フレームを閉じて配置するために、上部プレートと下部プレートの間にストッパーが固定される。
また、テーパー部分をカバーしてクイックリリース部分を備えた2つのフレームパーツ、テーパーチェアレッグの下に組み立て可能なスリーブ、バッテリーユニット、および チェアクッションはコーン型のチェアフットベースと組み立てることができ、コーン型のチェアフットベースにはトップがあり、チェアクッションにはトップとかみ合うことができるカバーフレームがあり、トップには位置決め穴があり、カバーフレームがあります。クイックリリースパーツは位置決め穴で固定できる。
【０００７】
フレーム前方のクリップの左右外周にフットペダルがあり、ハンドルをスタンドパイプを介してパイプアセンブリにピボット接続し、バッテリーユニットをハンドルを経て電気的に接続する。
【０００８】
後輪にはモーターが付いており、バッテリーユニットと電気的に接続する。
【考案の効果】
【０００９】
交通機関を利用した後に、歩行に不自由なユーザーが素早く組み立てて安定して移動できる。
【図面の簡単な説明】
【００１０】
【図１】は本考案の実施形態を示す立体分解図。
【図２】は図1の組み合わせを示す斜視図。
【図３】はスタンドパイプをしっかりと把持することができるクリップと、フックとロック部を示す斜視図。
【図４】はクリップの周りのペダルを折りたたむことができることを示す立体図。
【図５】はクリップの周りのペダルを外側に折りたたむことができることを示す立です。
【図６】は図2の断面図を斜めから見た概略図です。
【図７】は図2の折り畳み状態を示す立体図です。
【図８】はスタンドパイプ、上部プレート、下部プレート、および図1の2つのフレーム間の動作関係を示す立体図。
【考案を実施するための形態】
【００１１】
以下、図１〜８を参照して説明する。
本考案は、上部プレート１に固定された左右一対のロールチューブ１２、該ロールチューブに挿通して固定されたチューブシャフト本体１１、及び該上部プレート１に対して回動して傾倒可能とするため、該チューブシャフト本体１１を回動可能に挿通した接続部に固定されたスタンドパイプ５を備えた、シンプルで素早く折りたたみ可能な３輪式電動スクーターである。
下部プレート２は上部プレート１の下に位置して、フック５１で解放することができるロック部２１を含み、左右一対のフレーム３は、上部プレート１および下部プレート２の間にボルト３５を介して回動可能に接続されて、これらの接続ボルトの周りに回動して一対のフレームを左右に展開、閉鎖可能とされる。
各フレーム３は、前方に展開時にスタンドパイプ５をしっかりと把持することができるクリップ３１、後方に後輪６を設けたリアフォーク３２を備える。
折畳み時に上記一対のフレーム３を閉じて配置するためのブロックストップ３６が上部プレート１と下部プレート２との間に設けられる。
そして、後部の座席周りでは、シート部７下方にケーシング４２を設けたピボットシート４を設け、その左右延長部にリアフォークに設けた位置決め穴３３１を備えたテーパー３３にそれぞれ対応して嵌合するフレームセット４１、嵌合を解くクイックリリース４１１を設け、フレームセット間にバッテリーユニット４３を配置する。
シート部７はトップ７１を有し、チェアクッション４４はトップ７１と係合するカバーを有し、 トップ７１には位置決め穴７１１が設けられると共にマスクフレーム４４１には該位置決め穴７１１に固定されるクイックリリース４４１１が設けられて着脱可能とする。
前記一対のフレーム３のクリップ３１の外周左右に一対のフットペダル３４が設けられ、前輪を操作するハンドル８１はスタンドパイプ５を介してパイプアセンブリ８に回動可能に接続される。
後輪６を駆動するモーター９の電源として、バッテリーユニット４３が座席となるピボットシート４の下方に配置され、ハンドル８１を介して電池ユニット４３に電気的に接続される。
【００１２】
本考案は、図１から８を参照するとおり上記の構成要素の組み合わせることにより素早く折り畳み可能な電動スクーターを提供する。
左右の各フレーム３は、先端のスタンドパイプ５を把持するクリップ３１の外周左右側に足を支持するペダル３４を備え、 
ハンドル８１は、菅状アセンブリ８を介してスタンドパイプ５に対して回動可能に接続され、ピボットシート４下方に設置された電池ユニット４３はハンドル８１を経て後輪６を駆動するモーター９に電気的に接続される。
本考案は、交通機関を利用したのち、素早く組み立てて歩行の困難なユーザに提供することができる。
【００１３】
本考案は、先行技術文献に開示されることなく新規性を有すると共に進歩性を有し、産業上貢献可能であって、特許法の規定に沿うものであるから出願に及んだものである。
【符号の説明】
【００１４】
1：上部プレート
11：チューブシャフト本体
12：ロールチューブ
2：下部プレート
21：ロック部
3：フレーム
31：クリップ
32：リアフォーク
33：テーパー
331：位置決め穴
34：フットペダル
35：ボルト
36：ブロックストップ
4：ピボットシート
41：フレームセット
411クイックリリース
42：ケーシング
43：バッテリーユニット
44：チェアクッション
441：マスクフレーム
4411：クイックリリース
5：スタンドパイプ
51：フック
52：接続部
6：後輪
7：シート部
71：トップ
711：位置決め穴
8：パイプアセンブリ
81：ハンドル
9：モーター
【図１】
0003232028.tif 000003
【図２】
0003232028.tif 000004
【図３】
0003232028.tif 000005
【図４】
0003232028.tif 000006
【図５】
0003232028.tif 000007
【図６】
0003232028.tif 000008
【図７】
0003232028.tif 000009
【図８】
0003232028.tif 000010
【手続補正書】
【提出日】令和3年2月3日(2021.2.3)
【手続補正１】
【補正対象書類名】実用新案登録請求の範囲
【補正対象項目名】全文
【補正方法】変更
【補正の内容】
【実用新案登録請求の範囲】
【請求項１】
上部プレートに固定された左右一対のロールチューブ、該ロールチューブに挿通して固定されたチューブシャフト本体、及び該上部プレートに対して回動して傾倒可能とするため、該チューブシャフト本体を回動可能に挿通した接続部に固定されたスタンドパイプを備え、
左右一対のフレームを、後方をリアフォークとしてそれぞれ後輪を設け、
前方には上部プレートと下部プレート間でボルトを介して回動可能にピボット接続されると共に前端にそれぞれ左右からスタンドパイプを把持するクリップを設けてロック可能とし、
後部の座席シート部下方にケーシングを設けたピボットシートを設け、その左右延長部にリアフォークに設けた位置決め穴を備えたテーパーにそれぞれ対応して嵌合するフレームセット、該嵌合を解くクイックリリースを設けると共にフレームセット間にバッテリーユニットを配置して、
前輪は、前記チューブパイプを挿通する軸に連結されたハンドルにより回動操作可能とし、
前記スタンドパイプを把持する左右のフレームのクリップのロックを解除し、後部のフレームセットの嵌合を解くことにより、ハンドルと共にスタンドパイプを前記上部プレートに対して傾倒すると共に、前記左右一対のフレームを上部プレートに対してピボット回動させて展開状態から閉鎖状態として、
折りたたみ可能な３輪式電動スクーター。
【請求項２】
上記一対のフレームのクリップの左右外周にフットペダルが設けられ、
スタンドパイプをハンドル付きのチューブアセンブリに回動可能に接続した
請求項１記載の折りたたみ可能な３輪式電動スクーター。
【請求項３】
後輪にモーターを備え、モーターをバッテリーユニットに電気的に接続した、請求項２記載の折りたたみ可能な３輪式電動スクーター。
【手続補正書】
【提出日】令和3年3月12日(2021.3.12)
【手続補正１】
【補正対象書類名】実用新案登録請求の範囲
【補正対象項目名】全文
【補正方法】変更
【補正の内容】
【実用新案登録請求の範囲】
【請求項１】
上部プレートに固定された左右一対のロールチューブ、該ロールチューブに挿通して固定されたチューブシャフト本体、及び該上部プレートに対して回動して傾倒可能とするため、該チューブシャフト本体を回動可能に挿通した接続部に固定されたスタンドパイプを備え、
左右一対のフレームを、後方をリアフォークとしてそれぞれ後輪を設け、
前方には上部プレートと下部プレート間でボルトを介して回動可能にピボット接続されると共に前端にそれぞれ左右からスタンドパイプを把持するクリップを設けてクリップによりスタンドパイプを把持した状態でロック可能とし、
後部の座席シート部を該座席シート下方に配置したピボットシートに設けたケーシングを介して回動可能に設け、
該ピボットシートの左右延長部にフレームセットを設けて、前記左右のリアフォークに設けたテーパーを嵌合可能として、該フレームセットから嵌合したテーパーの位置決め穴に挿通して係合するクイックリリースを設けると共に該フレームセット間にバッテリーユニットを配置して、
前輪は、前記スタンドパイプを挿通する軸に連結されたハンドルにより回動操作可能とした3輪車の構成とし、
前記スタンドパイプを把持する左右のフレームのクリップのロックを解除し、後部のフレームセットのクイックリリースを開放してリアフォークとピボットシートの嵌合を解くことにより、ハンドルと共にスタンドパイプを前記上部プレートに対して傾倒すると共に、前記左右一対のフレームを上部プレートに対してピボット回動させて展開状態から閉鎖状態として、
折りたたみ可能な３輪式電動スクーター。
【請求項２】
上記一対のフレームのクリップの左右外周にフットペダルが設けられ、
上記スタンドパイプに対して上記ハンドルを連結された軸を回動可能に接続した、請求項１記載の折りたたみ可能な３輪式電動スクーター。
【請求項３】
後輪にモーターを備え、モーターをバッテリーユニットに電気的に接続した、請求項２記載の折りたたみ可能な３輪式電動スクーター。